(57)【要約】      （修正有）【課題】長時間にわたって鮮度を適切に維持しつつ、コンパクトに、かつ、綺麗に切り花を飾り付けることができ、家庭や店舗の食卓等の比較的狭い箇所に設置するのに適した切り花の設置用容器を提供する。【解決手段】切り花の設置用容器１０は、容体１２と、この容体１２に着脱自在に被せられる蓋部１４とを備えている。蓋部１４は、切り花の茎部が貫通する茎部支持孔１６を有し、この茎部支持孔１６は茎部を調整された所定の傾斜角度及び向きにて支持する。容体１２内には、切り花の少なくとも切り口が差し込まれる繊維状又は綿状のバージンパルプから成る保水材１８ａと、この保水材１８ａに吸収される栄養剤及び殺菌剤とを含んだ水分とから成る保水具１８が収納されている。【選択図】図１
0003170094.tif 000002
【実用新案登録請求の範囲】
【請求項１】
容体と前記容体に着脱自在に被せられる蓋部とを備えた切り花の設置用容器であって、前記蓋部は、前記切り花の茎部が貫通する茎部支持孔を有し、前記茎部支持孔は前記茎部を調整された所定の傾斜角度及び向きにて支持することを特徴とする切り花の設置用容器。
【請求項２】
請求項１に記載された切り花の設置用容器であって、前記容体は前記容体を側面から見た場合の最大幅に比して高さが低い横長の形状を有することを特徴とする切り花の設置用容器。
【請求項３】
請求項１又は請求項２のいずれかに記載された切り花の設置用容器であって、前記茎部支持孔は、直径が１ｃｍ〜１．５ｃｍに設定されていることを特徴とする切り花の設置用容器。
【請求項４】
請求項１乃至請求項３のいずれかに記載された切り花の設置用容器であって、前記蓋部は、複数の前記茎部支持孔を有することを特徴とする切り花の設置用容器。
【請求項５】
請求項１乃至請求項４のいずれかに記載された切り花の設置用容器であって、前記茎部支持孔は、前記蓋部の中央部と、前記中央部の周囲に複数形成されていることを特徴とする切り花の設置用容器。
【請求項６】
請求項１乃至請求項５のいずれかに記載された切り花の設置用容器であって、前記蓋部に密着して前記茎部支持孔を密閉するシール材を更に有し、前記シール材は、使用時に前記蓋部から剥離されて前記茎部支持孔を開放することを特徴とする切り花の設置用容器。
【請求項７】
請求項６に記載された切り花の設置用容器であって、前記シール材は、前記各茎部支持孔毎に設置されていることを特徴とする切り花の設置用容器。
【請求項８】
請求項６又は請求項７のいずれかに記載された切り花の設置用容器であって、前記シール材は、前記蓋部からの剥離のために把持することができる摘み部を有することを特徴とする切り花の設置用容器。
【請求項９】
請求項１乃至請求項８のいずれかに記載された切り花の設置用容器であって、前記容体内に前記切り花の少なくとも切り口が差し込まれる繊維状又は綿状のバージンパルプから成る保水材と前記保水材に吸収される栄養剤及び殺菌剤とを含んだ水分とから成る保水具が収納されていることを特徴とする切り花の設置用容器。
【請求項１０】
請求項１乃至請求項９のいずれかに記載された切り花の設置用容器であって、少なくとも前記容体は、透明性を有する材料から形成されていることを特徴とする切り花の設置用容器。
【請求項１１】
請求項１乃至請求項１０のいずれかに記載された切り花の設置用容器であって、前記容体及び前記蓋部は、最大幅が７ｃｍ以下、全高が４ｃｍ以下に形成されていることを特徴とする切り花の設置用容器。
【考案の詳細な説明】
【技術分野】
【０００１】
本考案は、店頭での販売時や、家庭や店舗の食卓や窓辺等に切り花を簡易に飾るための設置用容器の改良に関し、特に、長時間にわたって鮮度を適切に維持しつつ切り花を綺麗に飾り付けることに関するものである。
【背景技術】
【０００２】
切り花は、花屋等の専門店のほか、近年では、スーパーマーケット等の総合小売店等においても販売されるに至っている。この場合、これらの販売店の店頭においては勿論のこと、更には、販売後持ち帰るまでの間においても、切り花の鮮度を維持して、保存、延命することが必要となる。
【０００３】
このため、本考案者等においても、一方が開口した保水袋と、この保水袋内に挿入され保水袋の開口を通じて切り花の少なくとも切り口が差し込まれる繊維状又は綿状のバージンパルプから成る保水材と、この保水材に吸収される栄養剤及び殺菌剤とを含んだ水分とから成る保水具により、切り口を覆って切り花を保存し、これを切り花包装用袋にて包んで販売し、切り花の鮮度を長時間にわたって適切に維持することを提案した（特許文献１等参照）。
【０００４】
この場合、上記本考案者等の提案した手段によれば、少なくとも、販売時の状態、すなわち、切り花の切り口を保水具で覆ったまま切り花を設置すれば、長時間にわたり鮮度を維持できることが実証され、実際の市場においても高い評価を得ている。もっとも、植木鉢に植栽された植木等と異なり、切り花にあっては、家庭等における設置箇所によっては、設置箇所の広さ等に合わせて、切り花の本数や配列、色の並び、組合せ等を、やむなく販売時の状態からアレンジせざるを得ず、設置後は、保水具による鮮度の維持を十分に保持できない場合もあった。
【０００５】
このため、切り花についても、購入後も、そのまま設置箇所に設置できる状態で購入したいとのニーズも高まっており、特に、家庭や飲食店の食卓等の十分に広い設置面積が確保することができない場所に設置するのに適した状態で綺麗に飾り付けられた切り花を販売することの必要性が高まっている。
【０００６】
この場合、食卓等の狭い箇所に切り花を設置するのに適した手段として、切り花の茎部を固定する手段を備えた一輪挿しも提案されている（特許文献２、３参照）。しかし、購入者において改めてアレンジすることなくそのまま設置できるのは勿論のこと、販売店としても、需要者の購入意欲を惹起できるように、複数本の様々な切り花が華やかに飾り付けられた状態で販売することが望ましい。
【０００７】
このため、多数の切り花を適切に保持する保持できる容器も提案されている（特許文献４、５参照）。しかし、これらの容器のうち、茎の支持部に切り込みを形成して、この切り込みに茎部を貫通させて切り花を保持するものにあっては（特許文献３、４）、支持部の弾性力との関係によっては、切り花を所定の角度や向きに調整して飾り付けることが困難となる問題がある。また、容器内に複数の円筒状の部材（コイルスプリング）を設置して、この円筒状の部材により一輪ずつ保持するものにあっても（特許文献５）、切り花を所定の角度や向きに調整して設置することは困難である。
【０００８】
このように、切り花の鮮度を長時間にわたって維持しつつ、業者により、又は、場合によっては購入者において、複数の様々な切り花を、コンパクトに、かつ、綺麗にフラワーアレジメントとして、飾り付けることができる容器は提供されていないのが実情であった。
【先行技術文献】
【特許文献】
【０００９】
【特許文献１】特開２００２−９７１０１号公報
【特許文献２】特開２００８−５４９６２号公報
【特許文献３】特開２００８−１３６６４０号公報
【特許文献４】特開２０１０−９５３０６号公報
【特許文献５】特開２０１０−８２１９４号公報
【考案の概要】
【考案が解決しようとする課題】
【００１０】
本考案が解決しようとする課題は、上記の問題点に鑑み、長時間にわたって鮮度を適切に維持しつつ、コンパクトに、かつ、綺麗に切り花を飾り付けることができ、家庭や店舗の食卓等の比較的狭い箇所に設置するのに適した切り花の設置用容器を提供することにある。
【課題を解決するための手段】
【００１１】
本考案は、上記の課題を解決するための第１の手段として、容体とこの容体に着脱自在に被せられる蓋部とを備えた切り花の設置用容器であって、蓋部は、切り花の茎部が貫通する茎部支持孔を有し、この茎部支持孔は茎部を調整された所定の傾斜角度及び向きにて支持することを特徴とする切り花の設置用容器を提供するものである。
【００１２】
本考案は、上記の課題を解決するための第２の手段として、上記第１の解決手段において、容体は容体を側面から見た場合の最大幅に比して高さが低い横長の形状を有することを特徴とする切り花の設置用容器を提供するものである。
【００１３】
本考案は、上記の課題を解決するための第３の手段として、上記第１又は第２のいずれかの解決手段において、茎部支持孔は、直径が１ｃｍ〜１．５ｃｍに設定されていることを特徴とする切り花の設置用容器を提供するものである。
【００１４】
本考案は、上記の課題を解決するための第４の手段として、上記第１乃至第３のいずれかの解決手段において、蓋部は、複数の茎部支持孔を有することを特徴とする切り花の設置用容器を提供するものである。
【００１５】
本考案は、上記の課題を解決するための第５の手段として、上記第１乃至第４のいずれかの解決手段において、茎部支持孔は、蓋部の中央部と、この中央部の周囲に複数形成されていることを特徴とする切り花の設置用容器を提供するものである。
【００１６】
本考案は、上記の課題を解決するための第６の手段として、上記第１乃至第５のいずれかの解決手段において、蓋部に密着して茎部支持孔を密閉するシール材を更に有し、このシール材は、使用時に蓋部から剥離されて茎部支持孔を開放することを特徴とする切り花の設置用容器を提供するものである。
【００１７】
本考案は、上記の課題を解決するための第７の手段として、上記第６の解決手段において、シール材は、各茎部支持孔毎に設置されていることを特徴とする切り花の設置用容器を提供するものである。
【００１８】
本考案は、上記の課題を解決するための第８の手段として、上記第６又は第７のいずれかの解決手段において、シール材は、蓋部からの剥離のために把持することができる摘み部を有することを特徴とする切り花の設置用容器を提供するものである。
【００１９】
本考案は、上記の課題を解決するための第９の手段として、上記第１乃至第８のいずれかの解決手段において、容体内に切り花の少なくとも切り口が差し込まれる繊維状又は綿状のバージンパルプから成る保水材と保水材に吸収される栄養剤及び殺菌剤とを含んだ水分とから成る保水具が収納されていることを特徴とする切り花の設置用容器を提供するものである。
【００２０】
本考案は、上記の課題を解決するための第１０の手段として、上記第１乃至第９のいずれかの解決手段において、少なくとも容体は、透明性を有する材料から形成されていることを特徴とする切り花の設置用容器を提供するものである。
【００２１】
本校案は、上記の課題を解決するための第１１の手段として、上記第１乃至第１０のいずれかの解決手段において、容体及び蓋部は、最大幅が７ｃｍ以下、全高が４ｃｍ以下に形成されていることを特徴とする切り花の設置用容器を提供するものである。
【考案の効果】
【００２２】
本考案によれば、上記のように、蓋部に形成された茎部支持孔により、茎部を調整された所定の傾斜角度及び向きにて支持することができるため、切り花をこの茎部支持孔から溢れ出るように密度高く飾り付けすることができ、特に、茎の長さを４、５ｃｍ程度に短く切り出して茎部支持孔に差し込むことにより、家庭や飲食店等のテーブルの上等にもコンパクトに設置することができる実益がある。
【００２３】
この場合、特に、茎部支持孔を、切り花の茎部に対して適切な大きさに形成しているため、大き過ぎて切り花が倒れ込むのを防止することができる一方、小さ過ぎて切り花の角度や向きを調整することが困難となることもない実益がある。
【００２４】
また、本考案によれば、上記のように、茎部支持孔を使用時までシール材にて封止し、容体内の気密性を保持しているため、保水具の水分が不必要に揮発するのを回避することができ、切り花の鮮度を長時間維持することができる上に、特に、上記のように、複数の茎部支持孔を有する場合には、各茎部支持孔毎にシール材を設置すれば、必要な茎部支持孔のみシール材を剥離して開放し、それ以外の使用しない茎部支持孔から不必要に水分が蒸発するのを回避することができる実益がある。
【００２５】
更に、本考案によれば、上記のように、少なくとも、保水具が収納される容体を透明に形成しているため、内部の水分状態を簡易に把握することができ、水分補給等のメンテナンスが容易となる実益がある。
【図面の簡単な説明】
【００２６】
【図１】本考案の切り花の設置用容器の斜視図である。
【図２】本考案の切り花の設置用容器の側面図である。
【図３】本考案の切り花の設置用容器の平面図である。
【図４】本考案の切り花の設置用容器の他の実施の形態の平面図である。
【考案を実施するための最良の形態】
【００２７】
本考案の実施の形態を図面を参照しながら、詳細に説明すると、図１及び図２は、本考案の切り花の設置用容器１０を示し、この設置用容器１０は、図１及び図２に示すように、容体１２と、この容体１２に着脱自在に被せられる蓋部１４とを備えている。
【００２８】
（１．容体及び蓋部）
これらの容体１２及び蓋部１４は、その材質には特に限定はなく、例えば、セラミックスや、ステンレス等の金属製材料等から形成することもできる。この場合には、設置用容器１０を繰り返し使用するのに適している。一方、１回限りの使い切りを目的とする場合には、軽量化及び加工容易性を確保する上で、プラスチック製材料から形成することが好ましい。
【００２９】
また、この場合、少なくとも、容体１２については、図１及び図２に示すように、内部の水分状態を簡易に把握することができるように、透明性を有する材料から形成することが望ましい。具体的には、容体１２を、繰り返し使用を目的とする場合にはガラスを、使い切りを目的とする場合にはポリエチレンテレフタラート（ＰＥＴ）から形成することができる。これにより、容体１２内部に収納された後述の保水具１８等への水分補給等のメンテナンス時期等を適切に把握して、容易に管理をすることができる。
【００３０】
加えて、特に、使い切りの場合でも、ポリエチレンテレフタラートを使用した場合には、使用後にそのまま廃棄することもできる上に、回収により再利用することもできる。また、容体１２のみならず、蓋部１４についても、ポリエチレンテレフタラートから形成することにより、より一層の軽量化及び加工性を確保することができる。
【００３１】
更に、これらの容体１２及び蓋部１４は、形状に特に限定はないが、図１及び図２に示すように、容体１２は、容体１２を側面から見た場合の最大幅に比して高さが低い横長の形状とすることが好ましい。これにより、設置用容器１０が簡易に倒れたりすることがなく、切り花を安定的に保持することができると共に、特に高さを抑えて切り花をコンパクトに飾り付けることができる。
【００３２】
同様に、これらの容体１２及び蓋部１４の大きさにも、特に限定はないが、最大幅が７ｃｍ以下、全高が４ｃｍ以下に形成することが望ましい。従って、例えば、図１に示すように、有底円筒状の容体１２及び円形状の蓋部１４とする場合には、直径を７ｃｍ以下、高さを４ｃｍ以下とすることができる。これにより、家庭や飲食店での食卓の上にも、コンパクトに切り花を設置することができ、特に、切り花の販売店等で設置用容器１０に切り花が予め綺麗に飾り付けられた状態で購入した場合には、購入者が改めて花瓶等に差し替えてアレンジすることなく、そのまま手軽に食卓等を飾り付けることができる。
【００３３】
（２．茎部支持孔）
本考案においては、蓋部１４は、図１乃至図３に示すように、切り花の茎部１が貫通する茎部支持孔１６を有する。この茎部支持孔１６は、図２及び図３に示すように、縦長の花瓶等と異なり、上述の横長の形状を有する容体１２であっても、切り花が必要以上に倒れ込まないように支持すると共に、適切な範囲で茎部１よりも大きく形成されているため、茎部１を調整された所定の傾斜角度及び向きにて支持することができる。
【００３４】
具体的には、茎部支持孔１６の直径を１ｃｍ〜１．５ｃｍに設定することが望ましい。これにより、２〜３ｍｍ程度の直径を有する茎部１を複数本貫通させることができる一方、図２及び図３に示すように、茎部１を茎部支持孔１６の内周に支持させて茎部１の向きや傾斜を適切に調整することができる。
【００３５】
このため、図２及び図３から解るように、複数本の切り花をこの茎部支持孔１６から溢れ出るように密度高く飾り付けすることができ、特に、茎部１の長さを４、５ｃｍ程度に短く切り出して茎部支持孔１６に差し込むことにより、家庭や飲食店等のテーブルの上等にもコンパクトに設置することができる。
【００３６】
この茎部支持孔１６は、蓋部１４を穿孔する等蓋部１４の材質に応じた適宜の手段により形成することができるが、その個数や配置には特に限定はなく、例えば、図３に示すように、中央付近に単数の茎部支持孔１６を形成することができる。これにより、図３に示すように、設置用容器１０の中央部において上方に向けると共に中央部から外側に広がるように茎部１の傾斜角度や向きを調整して切り花を飾り付けることができる。この場合には、差し込むことができる茎部１の本数を確保するため、また、確保できる傾斜角度や向きのアレンジを増やすため、茎部支持孔１６の直径を、比較的大きめの１．５ｍｍ程度に設定することが好ましい。
【００３７】
一方、図４に示すように、複数の茎部支持孔１６を形成することもできる。この場合、図４に示すように、蓋部１４の中央部と、この中央部の周囲に複数の、具体的には、図４に示す実施の形態では４つの、計５つの茎部支持孔１６を形成されている。これにより、切り花のアレンジのバリエーションを更に増やすことができると共に、図３の実施の形態に比べ、更に、外側に広がるように切り花を飾り付けることができる。但し、複数の茎部支持孔１６を形成する場合にも、蓋部１４の面積との関係で許容しうる範囲で、その個数には特に限定はなく、図４と異なり、３つの、あるいは、４つの茎部支持孔１６を任意の配置で設置することもできる。なお、このように、複数の茎部支持孔１６を形成する場合には、各茎部支持孔１６の直径を、比較的小さめの１．０ｍｍ程度に設定することが好ましい。
【００３８】
（３．保水具）
更に、本考案の切り花の設置用容器１０は、図２に示すように、容体１２内に切り花の少なくとも切り口１ａが差し込まれる保水材１８ａと、この保水材１８ａに吸収される栄養剤及び殺菌剤とを含んだ水分とから成る保水具１８を収納することができる。この保水具１８の保水材１８ａにより、茎部１の下部を支持する一方、茎部１の上部を茎部支持孔１６により支持することにより、図２及び図３に示すように、茎部１を傾斜角度及び向きを調整しながら支持することができると共に、特に、この保水具１８により切り花に水分を補給しているため、切り花の延命効果を充分に高めることができる。
【００３９】
保水材１８ａは、例えば、繊維状又は綿状のバージンパルプから形成することができる。このバージンパルプは寒天やゲル状組成物等と異なり繊維中に水分を吸収するだけであるため、充分な給水をすることができると共に、加工等の取扱いが容易で、更には、天然素材であるため使用後に焼却等しても有害なガス等を発生することがないため廃棄処理も容易であると共に、コストパフォーマンスが高い。
【００４０】
また、このバージンパルプは、繊維中に水分を含むだけであって、かつ、通常は中性であるため、酸性であることが多い栄養剤等を吸収させても、物性変化を起こさないため、吸収した水分が流れ出ることがなく横置き等の輸送にも耐えることができると共に、切り花の延命効果が低減することがなく、むしろ、天然繊維のミネラル分との相乗効果により切り花の鮮度を充分に保持することができる。
【００４１】
この保水材１８ａであるバージンパルプとしては、粉状、粒状や固形状ではなく、木材を機械力により約５ｍｍ程度又はそれ以下の長さに離解して得られる繊維状のバージンパルプを使用することができる。このバージンパルプは、木材の自然な状態で天然繊維が一方向に揃ったパルプ塊の乾式パルプであり、一般に不織布を製造する前の素材として用いられているものである。このように、繊維状のバージンパルプを使用すると、複合体等のパルプと異なり、切り花の切り口１ａを円滑に挿入することができ、不必要に力を加えて切り口１ａを挿入する労力を軽減することができると同時に挿入の際の圧力によって無駄に水分を押し出すことがなく、また、粉状、粒状のパルプ等と異なり加工や容体１２への充填等の取扱いも容易となる。この意味で、この繊維状のパルプをまとめた綿状のバージンパルプも保水材１８ａとして使用することができる。
【００４２】
また、このバージンパルプは、木材から機械的に離解させた後、セルロース含有量が８０％以上となるようにアルカリ処理された後中和することが望ましい。具体的には、機械的に繊維状に離解されたバージンパルプを水酸化ナトリウム溶液等に浸しヘミセルロース等の不要な多糖類等を抽出して除去することにより行うが、この場合、紙の製造のため等に用いる通常のアルカリ処理、即ち、ヘミセルロース等の残留割合が２０％程度となるアルカリ処理よりも強めアルカリ処理とし、セルロース純度を充分に高めた後、再度中和して中性とする。これにより、切り花の切り口１ａの導管が保水材１８ａであるバージンパルプ内の微細な不純物等より目詰まりすることが殆どなく、給水性に優れる保水材とすることができる。
【００４３】
また、栄養剤及び殺菌剤とを含んだ水分としては、ブドウ糖、硝酸マグネシウム、防腐剤を主成分とする水分を用いることが望ましい。このブドウ糖、硝酸マグネシウム、防腐剤を主成分とする水分は、上記の保水材１８ａであるバージンパルプとの相性が良く、切り花の鮮度を充分に長期間にわたって維持することができる。
【００４４】
この場合、保水具１８、すなわち、上記の栄養剤及び殺菌剤とを含んだ水分が吸収された保水材１８ａの容体１２への挿入は、上記の保水材１８ａを栄養剤及び殺菌剤とを含んだ水の中に浸し、栄養剤及び殺菌剤とを含んだ水分を保水材１８ａに充分に吸収させた後、この保水材１８ａを充填機等により、容体１２内に充填することにより行うこともできるし、また、保水材１８ａを容体１２の中に挿入した後、又は同時に栄養剤及び殺菌剤とを含んだ水も容体１２内に注入して、容体１２内に収納することもできる。なお、この保水具１８の容体１２への収納は、設置用容器１０の製造段階において行うこともできるし、切り花の販売店等において切り花を飾り付ける段階で行うこともできる。また、この保水具１８は、切り花の切り口１ａを十分に差し込んで安定的に保持することができる高さ、具体的には、図２に示すように、少なくとも容体１２の高さの１／２程度、従って、例えば、高さ４ｃｍの容体であれば、平均して２ｃｍ程度の高さまで充填することが好ましく、より望ましくは、切り口１ａからの水分の吸収や蒸発による目減りを考慮して、蓋部１４付近の高さまで充填する。
【００４５】
（４．シール材）
加えて、本考案の設置用容器１０は、図１及び図４に示すように、蓋部１４に密着して茎部支持孔１６を密閉するシール材２０を更に有する。このシール材２０は、茎部１の差込前、すなわち、特に、容体１２の内部に保水具１８が収納されている状態においては、茎部支持孔１６を封止して内部を気密に保持する一方、使用時、すなわち、茎部１の差込時には蓋部１４から剥離されて茎部支持孔１６を開放するものである。このため、保水具１８の水分が不必要に揮発するのを回避することができ、切り花の鮮度を長時間維持することができる。
【００４６】
この場合、茎部支持孔１６の個数が単数又は複数の何れであるかを問わず、図１に示すように、蓋部全体を覆う１つのシール材２０を設置することもできるが、特に、複数の茎部支持孔１６を形成する場合には、図４に示すように、シール材２０を、各茎部支持孔１６毎に設置することは望ましい。これにより、必要な茎部支持孔１６のみシール材２０を剥離して開放し、それ以外の使用しない茎部支持孔１６から不必要に水分が蒸発するのを回避することができる。
【００４７】
これらのシール材２０は、例えば、塩化ビニル樹脂やポリエチレンテレフタラート等の柔軟性を有する樹脂製フィルムから形成することができる。これらの樹脂製フィルムも、容体１２などと同様に透明のものを使用することができる。また、この場合、シール材２０は、このシール材２０の裏面に、又は、蓋部１４の茎部支持孔１６の開口周縁に塗布された粘着剤により、蓋部１４に対して剥離可能に貼付して設置される。
【００４８】
なお、このシール材２０には、特に、図１に示すように、蓋部１４からの剥離のために把持することができる摘み部２０を形成することが好ましい。これにより、茎部支持孔１６の解法作業、ひいては、切り花の飾り付け作業を円滑に行うことができる。
【産業上の利用可能性】
【００４９】
本考案は、切り花を保存して販売、設置等することに適用することができ、特に、家庭や店舗の食卓や窓辺等に切り花を簡易に飾るために使用することができる。
【符号の説明】
【００５０】
１  切り花の茎部
１ａ  切り口
１０  切り花の設置用容器
１２  容体
１４  蓋部
１６  茎部支持孔
１８  保水具
１８ａ  保水材
２０  シール材
２０ａ  摘み部
【図１】
0003170094.tif 000003
【図２】
0003170094.tif 000004
【図３】
0003170094.tif 000005
【図４】
0003170094.tif 000006